(57)【要約】【課題】  長大トンネルであってもケーブルの敷設が必要なく子局を無線で監視制御できるトンネル照明設備を提供することである。【解決手段】  親局１１は無線の送信器１３からトンネル内に配置される複数個の子局１２に制御指令を出力する。各々の子局１２は親局１１の無線による送信器１３からの制御指令を内蔵した送受信器１５で受信し、その制御指令に従った動作を行う。これにより、子局１２に制御指令を伝送するための制御線が不要となりコストの低減を図ることができる。【選択図】  図１
2005116506.tif 000002
【特許請求の範囲】
【請求項１】
トンネル内に配置された複数個の照明装置と；
各々の照明装置に制御指令を出力する照明制御装置と；
前記照明制御装置に設けられ各々の照明装置への制御指令を無線で送信出力すると共に各々の子局からの情報を受信する送受信器と、
各々の照明装置に内蔵され前記照明制御装置の送受信器からの無線による制御指令を受信し自局への制御指令は取り込み他の子局への制御指令は中継して他の制御装置に無線で送信すると共に自局の情報を無線で送信する送受信器と；
を備えたことを特徴とするトンネル照明設備。
【請求項２】
前記照明装置に内蔵された送受信器は、指向性を有したダイポールアンテナを使用したことを特徴とする請求項１記載のトンネル照明設備。
【発明の詳細な説明】
【技術分野】
【０００１】
本発明は、トンネルに設置されるトンネル照明設備に関する。
【背景技術】
【０００２】
例えば、自動車が走行する道路のトンネルにおいては、照明装置、換気装置、防災装置、道路表示盤等の子局がトンネル内に配置され、トンネル外に設けられた親局からの制御指令により監視制御されている。この場合、子局に電源を供給する電源線や子局からの監視情報や子局への制御指令を送受信する制御線にはケーブルが用いられている。従って、トンネル内に設置される子局が多くなると、ケーブルの本数が増加しケーブルの敷設工事や保守が煩雑となりコストが上昇する。
【０００３】
そこで、親局と子局との間の情報は無線を用いて送受信し、子局である防災現地盤には各々の識別番号を持たせ、親局である防災受信盤から各々の子局（防災現地盤）を個別に監視制御できるようにし、トンネル内の配線や配管ケーブル数を最小限にして工事費の低減を図るようにしたものがある（例えば特許文献１参照）。
【０００４】
また、照明装置毎に取り付けられた子局装置により照明装置の正常・異常状態を検出し、この状態データと自局を識別する識別データとを、自局のデータとして末端の子局装置から無線通信回線を介して伝送し、広範囲な場所に複数設置されている照明装置の状態を監視するようにしたものがある（例えば、特許文献２参照）。この特許文献２のものでは、子局装置からのデータは、常に次段の子局装置と次々段の子局装置とで受信され、この受信したデータに自局のデータを付加して、次段の子局装置へと順次リレー式に中継伝送するとともに、前々段からの子局装置のデータを記憶し、親局装置は、隣接する子局装置の前段の子局装置からのデータを受信し記憶するとともに、隣接する子局装置からリレー式に中継伝送されたデータを通信回線を介して管理事務所へ伝送する。これにより、照明装置の故障を容易に発見でき、点検や保守を容易に行うようにしたものである。
【特許文献１】特開２０００−９９８４６号公報（図１）
【特許文献２】特開２００３−３４７０７２号公報（図１）
【発明の開示】
【発明が解決しようとする課題】
【０００５】
しかし、特開２０００−９９８４６号公報のものでは、長大トンネルを対象としていることから、トンネル内に無線電波を送信するための漏洩導波管ケーブルを敷設するようにしており、漏洩導波管ケーブルの敷設が必要である。従って、無線で子局を監視制御することはできるが、漏洩導波管ケーブルの敷設のためのコストが必要となる。
【０００６】
また、特開２００３−３４７０７２号公報のものでは、高速道路の照明装置を対象としており、無線通信回線は障害物のない空間を想定しているので、トンネルのようにトンネル側壁での電波の反射による不感帯の発生についての考慮がない。すなわち、トンネル照明設備に無線を適用しようとした場合には、電波がトンネル側壁で反射し、電波が伝搬しない不感帯が発生し適切に送受信できないことがある。
【０００７】
本発明の目的は、長大トンネルであってもケーブルの敷設が必要なく子局である照明装置を無線で監視制御できるトンネル照明設備を提供することである。
【課題を解決するための手段】
【０００８】
請求項１の発明に係わるトンネル照明設備は、トンネル内に配置された複数個の照明装置と；各々の照明装置に制御指令を出力する照明制御装置と；前記照明制御装置に設けられ各々の照明装置への制御指令を無線で送信出力すると共に各々の子局からの情報を受信する送受信器と、各々の照明装置に内蔵され前記照明制御装置の送受信器からの無線による制御指令を受信し自局への制御指令は取り込み他の子局への制御指令は中継して他の制御装置に無線で送信すると共に自局の情報を無線で送信する送受信器と；を備えたことを特徴とする。
【０００９】
本発明及び以下の発明において、特に指定しない限り用語の定義及び技術的意味は以下による。
【００１０】
トンネル照明設備は、例えば自動車が走行する道路のトンネルあるいは鉄道車両が走行するトンネルなどに配置される照明設備であり、トンネル内及びトンネル出入口近傍に子局である照明装置が設置され、トンネル外部または内部に設置された親局である照明制御装置からの制御指令により子局である照明装置は動作する。親局である照明制御装置には少なくとも子局である照明装置に無線で制御指令を出力する送受信器が設けられ、子局である照明装置には親局である照明制御装置からの制御指令を無線で受信する送受信器が内蔵して設けられる。
【００１１】
例えば、親局である照明制御装置は、子局である照明装置の点消灯指令や調光制御指令等の制御指令を出力する。子局である制御器具は親局からの無線による点消灯指令や調光制御指令等の制御指令を受信すると、その制御指令に従って照明装置を点消灯したり調光したりする。そして、他の子局である照明装置への制御指令の中継も行い、さらに、各々の子局である照明装置からの情報を中継し親局である照明制御装置へ送信する。
【００１２】
請求項１の発明によれば、親局である照明制御装置から子局である照明装置に無線により制御指令を送信するので、子局に制御指令を伝送するための制御線が不要となる。従って、制御線の敷設工事が不要となりコストの低減が図れる。また、子局を中継して他の子局に制御指令を送信できるので、長いトンネルであっても、すべての子局に制御指令を適切に送信することができる。さらに、子局の情報は他の子局を中継して親局に送信できるので、長いトンネルであっても、親局はすべての子局の情報を得ることができる。さらに、子局から得た情報を基に新たに子局に制御指令を送信することもできる。
【００１３】
請求項２の発明に係わるトンネル照明設備は、請求項１の発明において、前記照明装置に内蔵された送受信器は、前記照明装置に内蔵された送受信器は、指向性を有したダイポールアンテナを使用したことを特徴とする。
【００１４】
本発明は、照明装置に内蔵された送受信器は、トンネルの長手方向またはトンネルの斜め上下方向に指向性を有したダイポールアンテナを使用したものである。これにより、トンネル側壁での電波の反射による不感帯の発生を抑制し、無線通信を適切に行えるようにしている。通常、子局である照明装置は、トンネルの長手方向の側壁に沿って路面に向けて順次取り付けられるので、例えば、照明装置に内蔵された送受信器はトンネルの長手方向に指向性を有しトンネルの長手方向に配置された照明装置間で送受信する。また、トンネルの端部の照明装置においては、トンネルの斜め上下方向に指向性を有し、対面するトンネル側壁の照明装置間で送受信する。なお、トンネルの端部以外の照明装置であっても、トンネルの斜め上下方向に指向性を有し、対面するトンネル側壁の照明装置間で送受信するようにすることも可能である。
【００１５】
請求項２の発明によれば、照明装置に内蔵された送受信器は、トンネルの長手方向またはトンネルの斜め上下方向に指向性を有するので、電波がトンネル側壁で反射して、電波が伝搬しない不感帯が発生することを低減できる。
【発明の効果】
【００１６】
本発明によれば、親局である照明制御装置から子局である照明装置に無線により制御指令を送信するので、子局である照明装置に制御指令を伝送するための制御線が不要となりコストの低減が図れる。また、子局である照明装置を中継して他の子局に制御指令を送信できるので、長いトンネルであってもすべての子局に制御指令を適切に送信することができ、子局の情報は他の子局を中継して親局に送信できるので、長いトンネルであっても、親局である照明制御装置はすべての子局である照明装置の情報を得ることができる。
【００１７】
また、照明装置に内蔵された送受信器は、トンネルの長手方向またはトンネルの斜め上下方向に指向性を有するので、電波がトンネル側壁で反射して、電波が伝搬しない不感帯が発生することを低減できる。
【発明を実施するための最良の形態】
【００１８】
図１は本発明の実施の形態に係わるトンネル照明設備の構成図である。図１ではトンネルは自動車が走行する道路トンネルであり、道路トンネルにトンネル照明設備を設けた場合を示している。すなわち、トンネル１の出入口の近傍には親局１１である照明制御装置が設けられ、複数個の子局１２ａ〜１２ｎである照明装置はトンネル１内に配置されている。複数個の子局１２ａ〜１２ｎには親局から電源線２により電源が供給され、制御指令は無線により送信されるように構成されている。
【００１９】
親局１１には、後述するように無線による送受信器が設けられ、各々の子局１２ａ〜１２ｎには親局１１からの制御指令を無線で受信するための送受信器が設けられている。これにより、親局１１から子局１２に制御指令を無線で送信し子局１２ａ〜１２ｎにおいて受信するとともに、送受信器の場合には、子局１２ａ〜１２ｎの情報を親局１１に送信し、親局１１において子局１２ａ〜１２ｎを監視制御することになる。
【００２０】
図２は、本発明の実施の形態における子局１２ａ〜１２ｎである照明装置の正面図、図３は照明装置の断面図である。照明装置は例えばステンレス製等の密閉型の器具本体３内に、その投光開口に対向するように主反射体４を配設し、この主反射体４に光学的に対向するように屈曲形蛍光ランプ５を配設している。
【００２１】
器具本体３は、例えばＪＩＳ  Ｃ８１４０で規定する防噴流用器具本体等の密閉型に構成されており、いかなる方向からの水の直接噴流を受けても有害な影響が出ないように構成されており、複数の取付脚３ａを備えたシャーシ３ｂの投光開口端に、パッキン３ｃを介してほぼ長方形の投光開口を有する蓋体３ｄを装着し、この蓋体３ｄの投光開口に透光性カバー３ｅを水密かつ気密に嵌合させ、シリコン系統の接着剤により固着している。
【００２２】
蓋体３ｄは、ヒンジ３ｇによりシャーシ３ｂに開閉可能に取り付けられ、ヒンジ３ｇの反対側にシャーシ３ｂに設けられたラッチ３ｈによって閉塞された状態が保持されている。このとき、蓋体３ｄによる閉塞縁はパッキン３ｃにより水気や粉塵が挿入しないような処理が施されている。また、透光性カバー３ｅには透明なガラス板が使用されている。シャーシ３ｂの各取付脚３ａには、ネジ穴３ｆが形成されており、このネジ穴３ｆを利用してトンネル内壁などに設けられたステー等の取付装置にネジ止めによって固定される。
【００２３】
そして、このように構成された器具本体３の内部には、主反射体４やインバータ部１７ａさらには送受信器１５やアンテナ１９を配設している。アンテナ１９は蓋体３ｄの投光開口の内側、すなわち透光性カバー３ｅの背面に設けられ電波の送受信をし易くしている。
【００２４】
主反射体４は長手方向横断面が凹弧面をなす内面を細長い反射面に形成している。なお、主反射面の長手方向横断面の形状は、凹状であればよく、曲面上、平面の組み合わせまたは曲面と平面の組み合わせ等どのような形状であってもよい。但し、長手方向に亘ってその主たる部分が同じ断面形状になっていることが好ましい。また、反射面は鏡面または梨地などに仕上げられており設置場所などに応じて所望の配光が得られるような形状をなしている。さらに、主反射体４の内側には、屈曲形蛍光ランプ５を配設している。屈曲形蛍光ランプ５は、その軸方向一端側に設けられた片口金５ａをランプソケットに嵌め込むことで固定されている。
【００２５】
図４は、子局１２ａ〜１２ｎである照明装置に内蔵された送受信器１５のアンテナ１９の指向性の説明図である。本発明の第１の実施の形態では、２種類の指向性を持つダイポールアンテナをアンテナ１９として使用した。図４（ａ）は水平面に対して左右方向に指向性を有し、垂直面に対しては無指向性の特性を有するようにダイポールアンテナを配置した送受信器１５であり、図４（ｂ）は水平面に対しては無指向性であり、垂直面に対して上下方向に指向性を有するようにダイポールアンテナを配置した送受信器１５である。
【００２６】
図４（ａ）の指向性を有する送受信器１５は、図５に示すように、子局１２ａ〜１２ｎである照明装置がトンネル１の側壁の長手方向に間隔を保って取り付けられたときに、そのトンネル１の長手方向に指向性が向くようにアンテナ１９が照明装置内に内蔵される。なお、図５では垂直面方向の電波の輻射については図示を省略している。すなわち、子局１２である照明装置は、トンネル１の長手方向の側壁に沿って路面２０に向けて順次取り付けられるので、例えば、照明装置に内蔵された送受信器１５のアンテナ１９から輻射される電波はトンネルの長手方向に指向性を有しトンネルの長手方向に配置された照明装置間で送受信する。
【００２７】
一方、図４（ｂ）の指向性を持つダイポールアンテナを配置した送受信器１５は、例えば、トンネル端部に配置される子局１２の照明装置に内蔵され、図６に示すように、子局１２である照明装置がトンネル１の側壁の長手方向に間隔を保って路面２０に向けて取り付けられたときに、トンネル１の斜め上下方向に指向性が向くようにアンテナ１９が照明装置内に内蔵される。これにより、対面するトンネル側壁の照明装置間で送受信する。なお、図６では垂直面方向の電波の輻射については図示を省略している。ここで、トンネル１の端部以外の照明装置であっても、トンネル１の斜め上下方向に指向性を有し、対面するトンネル側壁の照明装置間で送受信するようにすることも可能である。
【００２８】
図７は、本発明の実施の形態に係わるトンネル照明設備の親局１１及び子局１２のブロック構成図である。照明制御装置である親局１１は無線部６及び制御表示部７を有し、無線部６は送受信部６ａ、制御／インタフェース部６ｂ、電源部６ｃから構成されている。制御表示部７には外部接続機器８や上位装置９が接続されている。
【００２９】
外部接続機器８はトンネル１の近傍の気象情報（温度、湿度、霧、雪）や周囲の明るさ（輝度や照度）を入力するための機器であり、外部接続機器８から入力された気象信号ｉ及び調光信号ｈは制御表示部７に入力される。制御表示部７は例えばディスプレイ付きのパソコンで構成され、タイマー制御や履歴管理を行う。制御表示部７には外部接続機器８からの気象信号ｉ及び調光信号ｈに加え、子局情報ａや外部制御入力が入力されている。子局情報ａは各々の子局１２での故障診断信号や子局の状態信号等を表す情報であり、外部制御入力は各々の子局１２を一斉制御するか、個別制御するか、グループ制御するかを指定するための信号である。また、上位装置７はトンネル１の出入口近傍や管理事務所（コントロールセンタ）に設けられて親局１１をさらに統括制御するものである。
【００３０】
無線部６の電源部６ｃは無線部６の各機器にＤＣ電源を供給するものであり、スーパキャパシタで停電対応となっている。送受信部６ａはアンテナ及びトランシーバで構成され子局１２と信号の授受を行うものであり、送受信部６ａは子局１２との間において信号を送受信することになる。送受信部６ａは子局１２に対して制御信号ｂ及び調光制御信号ｃ等の制御指令を送信し、子局１２から子局情報ａを受信する。
【００３１】
制御／インタフェース部６ｂは、制御表示部７から調光信号ｈや制御信号ｂを入力し、また、子局１２から子局情報ａを入力して、調光ダイアグラム、診断ダイアグラム、寿命ダイアグラム等を作成し、子局情報ａと共に必要に応じて制御表示部７に出力する。制御表示部７ではこれらに基づいて子局１２を監視制御することになる。
【００３２】
一方、照明装置である子局１２は無線部１０及び蛍光ランプ５等を有し、無線部１０は送受信部１０ａ、制御／インタフェース部１０ｂ、電源部１０ｃから構成されている。制御／インタフェース部１０ｂには子局の識別番号であるアドレスｆを設定するための設定器１８が接続される。設定器１８は携帯タイプでありコネクタ接続により制御／インタフェース部１０ｂに接続される。
【００３３】
蛍光ランプ５にはインバータ部１７ａが接続され、インバータ部１７ａは無線部１０の制御／インタフェース部１０ｂからの制御指令である制御信号ｂや調光制御信号ｃにより、蛍光ランプ５の点灯消灯制御や調光制御を行い、その動作状態ｄを無線部１０の制御／インタフェース部１０ｂに出力する。このインバータ部１７ａに電源線２から電源が供給される。また、電源部１７ｂからは子局１２の各機器にＤＣ電源を供給し、検出部１７ｃは子局１２内の温度や照度、点灯時間、蛍光ランプ５への供給電圧や電流等の情報ｅを検出して無線部１０の制御／インタフェース部１０ｂに出力する。
【００３４】
次に、無線部１０の電源部１０ｃは無線部１０の各機器にＤＣ電源を供給するものであり、スーパキャパシタで停電対応となっている。送受信部１０ａはアンテナ及びトランシーバで構成され親局１１や他の子局１２と信号の授受を行うものであり、送受信部１０ａは親局１１や他の子局１２に対して子局情報ａを送信し、親局１１から直接または他の子局１２を中継して親局１１からの制御信号ｂや調光制御信号ｃ等の制御指令を受信する。
【００３５】
制御／インタフェース部１０ｂは、送受信部１０ａから制御信号ｂや調光制御信号ｃを入力しインバータ部１７ａに出力すると共に、インバータ部１７ａの動作状態ｄ、子局１２内の温度や照度、点灯時間、蛍光ランプ５への供給電圧や電流等の情報ｅを入力する。そして、調光ダイアグラム、診断ダイアグラム、寿命ダイアグラム等を作成し、診断ダイアグラムにより故障診断信号、寿命ダイアグラムにより寿命予測信号を求める。そして、これらの情報を子局情報ａとして送受信部１０ａにより親局１１に送信する。
【００３６】
以上のように構成されたトンネル照明設備は、親局１１と子局１２との間は無線で制御指令や情報の送受信を行い、必要に応じて子局１２で電波を中継させる。以下、親局１１と子局１２との間の伝送の仕方について説明する。
【実施例１】
【００３７】
図８〜図１２は本発明の実施例１におけるトンネル照明設備の一例の構成図である。図８では６個の第１系列の子局１２ａ〜１２ｆ及び６個の第２系列の子局１２ａ’〜１２ｆ’がトンネル側壁に対面して設けられ、合計１２個の子局１２が設けられた場合を示しているが、１２個以上または１２個未満であっても良いことは言うまでもない。
【００３８】
親局１１には無線の送受信器１６が備えられており、各々の子局１２ａ〜１２ｆ、１２ａ’〜１２ｆ’には無線の送受信器１５ａ〜１５ｆ、１５ａ’〜１５ｆ’が備えられている。送受信器１５ａ〜１５ｆ、１５ａ’〜１５ｆ’は、図４（ａ）に示した水平面に対して左右方向に指向性を有した送受信器であり、アンテナ１９がトンネル１の長手方向に指向性が向くように照明装置内に内蔵された送受信器である。これにより、トンネル１の長手方向の送受信間で無線通信を行う。
【００３９】
そして、親局１１の送受信器１６から各々の子局１２ａ〜１２ｆ、１２ａ’〜１２ｆ’の送受信器１５ａ〜１５ｆ、１５ａ’〜１５ｆ’に対して制御指令が無線で送信される。なお、図示は省略するが電源線は有線にて親局１１から各々の子局１２ａ〜１２ｆ、１２ａ’〜１２ｆ’に敷設されている。
【００４０】
例えば、トンネル内に配置された子局１２ａ〜１２ｄである照明装置を点灯させる場合には、親局１１である照明制御装置の送受信器１６は制御指令として点灯指令を無線で子局１２ａ〜１２ｆ、１２ａ’〜１２ｆ’に送信する。各々の子局１２ａ〜１２ｄには識別番号が付与されており、親局１１は識別番号と共に制御指令である点灯指令を出力することになる。
【００４１】
まず、親局１１の送受信器１６から最上流の子局１２ａ、１２ａ’の送受信器１５ａ、１５ａ’に対して子局１２ａ〜１２ｆ、１２ａ’〜１２ｆ’の識別番号を付与して制御指令を無線で送信する。子局１２ａ、１２ａ’では親局１１から受信した受信信号に自局の識別番号が含まれているかどうかを判別し、自局の識別番号が付与された制御指令があるときはその制御指令を取り込み、他局の識別番号が付与された制御指令は下流の子局１２ｂ、１２ｂ’に送信する。
【００４２】
その際に、自局の情報も親局１１宛に送信する。自局の情報は、点灯消灯状態、調光状態、周囲の温度、照度、湿度、照明装置の電圧や電流、点灯時間等の監視制御情報であり、その自局の情報には自局の識別番号が付与されて親局１１宛に送信される。すなわち、各々の子局１２ａ〜１２ｆ、１２ａ’〜１２ｆ’は送受信器１５ａ〜１５ｆを備えていることから、親局１１及び各々の子局１２ａ〜１２ｆ、１２ａ’〜１２ｆ’間で情報を送受信することも可能である。図８中で双方向に矢印を記載しているのはそれを意味する。
【００４３】
このように、親局１１から順次子局１２ａ〜１２ｅ、１２ａ’〜１２ｅ’の送受信器１５ａ〜１５ｆ、１５ａ’〜１５ｆ’を中継して最下流の子局１２ｆ、１２ｆ’まで制御指令を送信すると共に、各々の子局１２ａ〜１２ｅ、１２ａ’〜１２ｅ’の情報を順次送信する。そして、最下流の子局１２ｆ、１２ｆ’から子局１２ｄ〜１２ａ、１２ｄ’〜１２ａ’の送受信器１５ｄ〜１５ａを中継して無線で親局１１に各々の子局１２ａ〜１２ｆ、１２ａ’〜１２ｆ’の情報を送信する。親局１１は、各々の子局１２ａ〜１２ｆ、１２ａ’〜１２ｆ’からの情報に基づき、子局１２ａ〜１２ｆ、１２ａ’〜１２ｆ’である照明装置の寿命予測を含めた故障状況を監視制御すると共に、外部気象状況（輝度、照度、温度、湿度、霧、雨、雪など）より得られたデータから調光制御を行う。
【００４４】
以上の説明では、最下流の子局１２ｆ、１２ｆ’で折り返して、親局１１に各々の子局１２ａ〜１２ｆ、１２ａ’〜１２ｆ’の情報をそれそれ送信するようにしたが、図９に示すように、最下流の子局１２ｆ、１２ｆ’間を図４（ｂ）に示す指向性を有するアンテナ１９で無線通信可能とし、親局１１から子局１２ａ〜１２ｆを通り、さらに子局１２ｆ’〜１２ａ’を通ってループ状に親局１１に情報を無線送信するようにしても良い。この場合、逆に親局１１から子局１２ａ’〜１２ｆ’を通り、さらに子局１２ｆ〜１２ａを通って親局１１に情報を無線送信するようにすることも可能である。
【００４５】
図１０は実施例１におけるトンネル照明設備の別の他の一例を示す構成図である。この図１０に示した一例は、図８に示した一例に対し、送受信器１５ａ〜１５ｆ、１５ａ’〜１５ｆ’として、図４（ａ）に示した水平面に対して左右方向に指向性を有した送受信器に代えて、図４（ｂ）に示した垂直面に対して上下方向に指向性を有した送受信器を用い、アンテナ１９がトンネル１の斜め上下方向に指向性が向くように照明装置内に内蔵された送受信器としたものである。これにより、トンネル１の側壁に対面する第１系列の送受信器と第２系列の送受信器とを交互に中継して無線通信を行う。図８と同一要素には同一符号を付し重複する説明は省略する。
【００４６】
まず、親局１１の送受信器１６から最上流の子局１２ａ、１２ａ’の送受信器１５ａ、１５ａ’に対して子局１２ａ〜１２ｆ、１２ａ’〜１２ｆ’の識別番号を付与して制御指令を無線で送信する。子局１２ａ、１２ａ’では親局１１から受信した受信信号に自局の識別番号が含まれているかどうかを判別し、自局の識別番号が付与された制御指令があるときはその制御指令を取り込み、他局の識別番号が付与された制御指令は、トンネル１の側壁に対面する下流の子局１２ｂ’、１２ｂにそれぞれ送信する。すなわち、対角線上に電波を輻射して送信する。その際に、自局の情報も親局１１宛に送信する。
【００４７】
このように、親局１１から順次子局１２ａ、１２ｂ’、１２ｃ、１２ｄ’、１２ｅの送受信器１５ａ、１５ｂ’、１５ｃ、１５ｄ’、１５ｅを中継して最下流の子局１２ｆ’まで制御指令を送信すると共に、子局１２ａ’、１２ｂ、１２ｃ’、１２ｄ、１２ｅ’の送受信器１５ａ’、１５ｂ、１５ｃ’、１５ｄ、１５ｅ’を中継して最下流の子局１２ｆまで制御指令を送信する。
【００４８】
そして、最下流の子局１２ｆ’、１２ｆから逆ルートで無線で親局１１に各々の子局１２ａ〜１２ｆ、１２ａ’〜１２ｆ’の情報を送信する。親局１１は、各々の子局１２ａ〜１２ｆ、１２ａ’〜１２ｆ’からの情報に基づき、子局１２ａ〜１２ｆ、１２ａ’〜１２ｆ’である照明装置の寿命予測を含めた故障状況を監視制御すると共に、外部気象状況（輝度、照度、温度、湿度、霧、雨、雪など）より得られたデータから調光制御を行う。
【００４９】
以上の説明では、最下流の子局１２ｆ、１２ｆ’で折り返して、親局１１に各々の子局１２ａ〜１２ｆ、１２ａ’〜１２ｆ’の情報をそれそれ送信するようにしたが、最下流の子局１２ｆ、１２ｆ’間を図４（ｂ）に示す指向性を有するアンテナ１９で無線通信可能とし、親局１１から子局１２ａ、１２ｂ’、１２ｃ、１２ｄ’、１２ｅ、１２ｆ’を通り、さらに子局１２ｆ、１２ｅ’、１２ｄ、１２ｃ’、１２ｂ、１２ａ’を通ってループ状に親局１１に情報を無線送信するようにしても良い。この場合、逆に親局１１から子局１２ａ’、１２ｂ、１２ｃ’、１２ｄ、１２ｅ’、１２ｆを通り、さらに子局１２ｆ’、１２ｅ、１２ｄ’、１２ｃ、１２ｂ’、１２ａを通って親局１１に情報を無線送信するようにすることも可能である。
【００５０】
図１１は実施例１におけるトンネル照明設備のさらに別の他の一例を示す構成図である。この図１１の一例は、図８に示した一例に対し、第１系列の子局１２ａ〜１２ｆは、図４（ａ）及び図４（ｂ）の双方の指向性を有する送受信器１５を内蔵し、第２系列の子局１２ａ’〜１２ｆ’は、図４（ｂ）の指向性を有する送受信器１５を内蔵したものである。図８と同一要素には同一符号を付し重複する説明は省略する。
【００５１】
まず、親局１１の送受信器１６から最上流の子局１２ａの送受信器１５ａに対して子局１２ａ〜１２ｆ、１２ａ’〜１２ｆ’の識別番号を付与して制御指令を無線で送信する。子局１２ａでは親局１１から受信した受信信号に自局の識別番号が含まれているかどうかを判別し、自局の識別番号が付与された制御指令があるときはその制御指令を取り込み、他局の識別番号が付与された制御指令は、トンネル１の長手方向の下流の子局１２ｂ及びトンネル１の側壁に対面する第２系列の子局１２ａ’にそれぞれ送信する。その際に、自局の情報も親局１１宛に送信する。
【００５２】
同様に、子局１２ｂでは子局１２ａから受信した受信信号に自局の識別番号が含まれているかどうかを判別し、自局の識別番号が付与された制御指令があるときはその制御指令を取り込み、他局の識別番号が付与された制御指令は、トンネル１の長手方向の下流の子局１２ｂ及びトンネル１の側壁に対面する第２系列の子局１２ａ’にそれぞれ送信する。その際に、自局の情報も親局１１宛に送信する。以下、下流の子局１２ｃ〜１２ｆまで同様に動作を行う。
【００５３】
このように、親局１１から順次子局１２ａ〜１２ｅの送受信器１５ａ〜１５ｅを中継して最下流の子局１２ｆまで制御指令を送信すると共に、各々の子局１２ａ〜１２ｆの送受信器１５ａ〜１５ｆからトンネル１の側壁に対面する第２系列の子局１２ａ’〜１２ｆ’にそれぞれ制御指令を送信する。
【００５４】
そして、第２系列の子局１２ａ’〜１２ｆ’は第１系列の子局１２ａ〜１２ｅに第２系列の子局１２ａ’〜１２ｆ’の情報を送信し、親局１１に対しては、最下流の子局１２ｆから逆ルートで無線で各々の子局１２ａ〜１２ｆ、１２ａ’〜１２ｆ’の情報を送信する。親局１１は、各々の子局１２ａ〜１２ｆ、１２ａ’〜１２ｆ’からの情報に基づき、子局１２ａ〜１２ｆ、１２ａ’〜１２ｆ’である照明装置の寿命予測を含めた故障状況を監視制御すると共に、外部気象状況（輝度、照度、温度、湿度、霧、雨、雪など）より得られたデータから調光制御を行う。
【００５５】
図１２は実施例１におけるトンネル照明設備のさらに別の他の一例を示す構成図である。この図１２の一例は、図８に示した一例に対し、第１系列の子局１２ａ〜１２ｆ及び第２系列の子局１２ａ’〜１２ｆ’は、図４（ａ）及び図４（ｂ）の双方の指向性を有する送受信器１５を内蔵したものである。図８と同一要素には同一符号を付し重複する説明は省略する。
【００５６】
まず、親局１１の送受信器１６から最上流の子局１２ａの送受信器１５ａに対して子局１２ａ〜１２ｆ、１２ａ’〜１２ｆ’の識別番号を付与して制御指令を無線で送信する。子局１２ａでは親局１１から受信した受信信号に自局の識別番号が含まれているかどうかを判別し、自局の識別番号が付与された制御指令があるときはその制御指令を取り込み、他局の識別番号が付与された制御指令は、トンネル１の側壁に対面する第２系列の子局１２ａ’に送信する。その際に、自局の情報も親局１１宛に送信する。
【００５７】
子局１２ａ’では子局１２ａから受信した受信信号に自局の識別番号が含まれているかどうかを判別し、自局の識別番号が付与された制御指令があるときはその制御指令を取り込み、他局の識別番号が付与された制御指令は、トンネル１の長手方向の下流の子局１２ｂ’に送信する。その際に、自局の情報も親局１１宛に送信する。
【００５８】
子局１２ｂ’では子局１２ａ’から受信した受信信号に自局の識別番号が含まれているかどうかを判別し、自局の識別番号が付与された制御指令があるときはその制御指令を取り込み、他局の識別番号が付与された制御指令は、トンネル１の側壁に対面する第１系列の子局１２ｂに送信する。その際に、自局の情報も親局１１宛に送信する。以下、下流の子局１２ｃ〜１２ｆまで同様に動作を行う。
【００５９】
このように、親局１１から第１系列の子局１２ａの送受信器１５ａ、第２系列の子局１２ａ’の送受信器１５ａ’、第２系列の子局１２ｂ’の送受信器１５ｂ’、第１系列の子局１２ｂの送受信器１５ｂと順次中継して最下流の子局１２ｆまで制御指令を送信する。そして、親局１１に対しては、最下流の子局１２ｆから逆ルートで無線で各々の子局１２ａ〜１２ｆ、１２ａ’〜１２ｆ’の情報を送信する。親局１１は、各々の子局１２ａ〜１２ｆ、１２ａ’〜１２ｆ’からの情報に基づき、子局１２ａ〜１２ｆ、１２ａ’〜１２ｆ’である照明装置の寿命予測を含めた故障状況を監視制御すると共に、外部気象状況（輝度、照度、温度、湿度、霧、雨、雪など）より得られたデータから調光制御を行う。
【００６０】
以上述べたように、実施例１によれば、指向性を有した送受信器で子局を中継しながら送受信を行うので、親局１１から直接的に電波が届かない場所に設置された子局１２に対しても制御指令を送信でき、また子局１２の情報を親局１１に送信することができる。従って、長いトンネルであっても、すべての子局１２ａ〜１２ｆ、１２ａ’〜１２ｆ’に制御指令を適切に送信でき、またすべての子局１２ａ〜１２ｆ、１２ａ’〜１２ｆ’の情報を親局１１に送信できるので、すべての子局１２を適切に監視制御できる。
【実施例２】
【００６１】
図１３〜図１７は本発明の実施例２のトンネル照明設備の構成図である。図１３〜図１７においては、トンネル１の側壁に設けられる第１系列のみを示している。
【００６２】
図１３は本発明の実施例２におけるトンネル照明設備の一例を示す構成図である。図１３の一例は、実施例１に対し、親局１１から各々の子局１２ａ〜１２ｄに対して直接的に通信するようにしたものである。図１３では４個の子局１２ａ〜１２ｄを示しているが、子局１２は４個以上あるいは４個未満であっても良いことは言うまでもない。
【００６３】
図１３において、親局１１には無線の送受信器１６が備えられており、各々の子局１２ａ〜１２ｄには無線の送受信器１５ａ〜１５ｄが備えられている。送受信器１５ａ〜１５ｄは、図４（ａ）に示した水平面に対して左右方向に指向性を有した送受信器であり、アンテナ１９がトンネル１の長手方向に指向性が向くように照明装置内に内蔵された送受信器である。これにより、トンネル１の長手方向の送受信間で無線通信を行う。
【００６４】
そして、親局１１の送受信器１６から各々の子局１２ａ〜１２ｄの送受信器１５ａ〜１５ｄに対して制御指令が無線で送信される。その際に、自局の情報も親局１１宛に送信する。自局の情報は、子局１２が照明装置である場合には、点灯消灯状態、調光状態、周囲の温度、照度、湿度、照明装置の電圧や電流、点灯時間等の監視制御情報であり、その自局の情報には自局の識別番号が付与されて親局１１宛に送信される。
【００６５】
図１３に示した一例では、親局１１から子局１２ａ〜１２ｄに無線により制御指令を送信し、また子局１２ａ〜１２ｄの情報を受信するので、親局１１と子局１２ａ〜１２ｄとの間の制御線が不要となる。従って、制御線の敷設工事が不要となりコストの低減が図れる。
【００６６】
図１４は実施例２におけるトンネル照明設備の他の一例を示す構成図であり、各々の子局１２ａ〜１２ｅの情報を間欠的に子局１２を中継して無線で親局１１に送信するようにしたものである。図１４では、子局１２ｅ、１２ｄ、子局１２ｂ、１２ａをバイパスし、子局１２ｃの送受信器１５ｃを中継して無線で親局１１に送信する場合を示している。また、図１４では６個の子局１２ａ〜１２ｆを示しているが、子局１２は６個以上あるいは６個未満であっても良いことは言うまでもない。
【００６７】
図１４において、親局１１には無線の送受信器１６が備えられており、各々の子局１２ａ〜１２ｆには無線の送受信器１５ａ〜１５ｆが備えられている。送受信器１５ａ〜１５ｆは、図４（ａ）に示した水平面に対して左右方向に指向性を有した送受信器であり、アンテナ１９がトンネル１の長手方向に指向性が向くように照明装置内に内蔵された送受信器である。これにより、トンネル１の長手方向の送受信間で無線通信を行う。
【００６８】
親局１１から順次子局１２ａ〜１２ｅの送受信器１５ａ〜１５ｆを中継して最下流の子局１２ｆまで制御指令を送信すると共に、各々の子局１２ａ〜１２ｅの情報を順次送信する。そして、最下流の子局１２ｆから子局１２ｅ、１２ｄをバイパスし、子局１２ｃの送受信器１５ｃを中継して、さらに、子局１２ｂ、１２ａをバイパスし、無線で親局１１に各々の子局１２ａ〜１２ｆの情報を送信する。バイパスする子局１２の数は最大限電波の届く範囲とする。
【００６９】
ここで、各々の子局１２ａ〜１２ｆは送受信器１５ａ〜１５ｆを備えていることから、親局１１及び各々の子局１２ａ〜１２ｆ間で情報を送受信することも可能である。図１４中で双方向に矢印を記載しているのはそれを意味する。従って、各々の子局１２ａ〜１２ｆの情報を、図８に示したように各々の子局１２ｅ〜１２ａを順次中継して親局１１に送信することも可能である。
【００７０】
図１４に示した一例では、図８に示した一例の効果に加え、子局１２ｅ、１２ｄ、子局１２ｂ、１２ａをバイパスして各々の子局１２ａ〜１２ｅの情報を親局１１に送信することができるので、子局１２ａ〜１２ｅの情報を迅速に親局に送信することができる。
【００７１】
図１５は実施例２におけるトンネル照明設備のさらに別の他の一例を示す構成図である。図１５において、親局１１の送受信器１６から第１の子局群の子局１２ａに対して子局１２ａ〜１２ｃの識別番号を付与して制御指令を無線で送信すると共に、第２の子局群の子局１２ｄに対して子局１２ｄ〜１２ｆの識別番号を付与して制御指令を無線で送信する。第１の子局群の子局１２ａ〜１２ｃは、制御指令を中継した際に自局の情報を送信する。そして、第１の子局群の最下流の子局１２ｃは子局１２ａ〜１２ｃの情報を親局１１の送受信器１６に送信する。
【００７２】
同様に、第２の子局群の子局１２ｄ〜１２ｆは、制御指令を中継した際に自局の情報を送信する。そして、第２の子局群の最下流の子局１２ｆは、子局１２ｄを中継して子局１２ｄ〜１２ｆの情報を親局１１の送受信器１６に送信する。
【００７３】
ここで、各々の子局１２ａ〜１２ｆは送受信器１５ａ〜１５ｆを備えていることから、親局１１及び各々の子局１２ａ〜１２ｆ間で情報を送受信することも可能である。図１５中で双方向に矢印を記載しているのはそれを意味する。従って、第１の子局群の子局１２ａ〜１２ｃの情報を、第１の子局群の各々の子局１２ｂ、１２ａを順次中継して親局１１に送信することも可能である。同様に、第２の子局群の子局１２ｄ〜１２ｆの情報を、第２の子局群の各々の子局１２ｅ、１２ｄを順次中継して子局１２ｄから親局１１に送信することも可能である。
【００７４】
図１５に示した一例では、子局群毎に各々の子局１２ａ〜１２ｃ、子局１２ｄ〜１２ｆの情報を親局１１に送信することができるので、子局１２ａ〜１２ｅの情報を迅速に親局に送信することができる。
【００７５】
図１６は実施例２におけるトンネル照明設備のさらに別の他の一例を示す構成図である。図１６において、親局１１の送受信器１６から第１の子局群の子局１２ａに対して子局１２ａ〜１２ｆの識別番号を付与して制御指令を無線で送信する。第１の子局群の子局１２ａでは親局１１から受信した受信信号に自局の識別番号が含まれているかどうかを判別し、自局の識別番号が付与された制御指令があるときはその制御指令を取り込み、他局の識別番号が付与された制御指令のうち、自局の子局群の制御指令は自局の子局群の下流の子局１２ｂに送信する。自局の子局群以外の制御指令は下流の第２の子局群の子局１２ｄに送信する。また、第１の子局群の子局１２ａ〜１２ｃは、制御指令を中継した際に自局の情報を送信する。そして、第１の子局群の最下流の子局１２ｃは子局１２ａ〜１２ｃの情報を親局１１の送受信器１６に送信する。
【００７６】
第２の子局群の子局１２ｄは第１の子局群の子局１２ａから制御指令を受信すると、受信した受信信号に自局の識別番号が含まれているかどうかを判別し、自局の識別番号が付与された制御指令があるときはその制御指令を取り込み、他局の識別番号が付与された制御指令のうち、自局の子局群の制御指令は自局の子局群の下流の子局１２ｅに送信する。自局の子局群以外の制御指令は下流の第３の子局群があると判断し下流の子局群に送信する。また、第２の子局群の子局１２ｄ〜１２ｆは、制御指令を中継した際に自局の情報を送信する。そして、第２の子局群の最下流の子局１２ｆは子局１２ｄを中継して子局１２ｄ〜１２ｆの情報を親局１１の送受信器１６に送信する。
【００７７】
ここで、各々の子局１２ａ〜１２ｆは送受信器１５ａ〜１５ｆを備えていることから、親局１１及び各々の子局１２ａ〜１２ｆ間で情報を送受信することも可能である。図１５中で双方向に矢印を記載しているのはそれを意味する。従って、第１の子局群の子局１２ａ〜１２ｃの情報を、第１の子局群の各々の子局１２ｂ、１２ａを順次中継して親局１１に送信することも可能である。同様に、第２の子局群の子局１２ｄ〜１２ｆの情報を、第２の子局群の各々の子局１２ｅ、１２ｄを順次中継して子局１２ｄから親局１１に送信することも可能である。
【００７８】
図１６に示した一例では、子局群毎に各々の子局１２ａ〜１２ｃ、子局１２ｄ〜１２ｆの情報を親局１１に送信することができるので、子局１２ａ〜１２ｅの情報を迅速に親局に送信することができる。
【００７９】
図１７は実施例２におけるトンネル照明設備のさらに別の他の一例を示す構成図である。親局１１から１個おきに子局１２を中継しながら最下流の子局まで制御指令を送信し、最下流の子局で折り返して中継を飛ばした子局１２に対して親局１１方向に制御指令を送信する。そして、最終的にすべての子局に制御指令を送信すると共に、各々の子局１２ａ〜１２ｆの情報を親局１１に送信するようにしたものである。
【００８０】
図１７において、親局１１には無線の送受信器１６が備えられており、各々の子局１２ａ〜１２ｆには無線の送受信器１５ａ〜１５ｆが備えられている。そして、まず、親局１１の送受信器１６から最上流の子局１２ａの送受信器１５ａに対して子局１２ａ〜１２ｆの識別番号を付与して制御指令を無線で送信する。子局１２ａでは親局１１から受信した受信信号に自局の識別番号が含まれているかどうかを判別し、自局の識別番号が付与された制御指令があるときはその制御指令を取り込み、自局の情報と共に他局の識別番号が付与された制御指令を下流の子局１２ｂをバイパスして子局１２ｃに送信する。
【００８１】
以下同様に、１個の子局をバイパスして最下流の子局１２ｆまで制御指令及び子局の情報を送信し、最下流の子局１２ｆで折り返して、親局１１方向にバイパスした子局１２を中継して最後の子局１２ｂまで制御指令及び子局の情報を出力する。そして、最後の子局１２ｂは、すべての子局１２ａ〜１２ｆの情報を親局の送受信器１６に送信する。
【００８２】
ここで、各々の子局１２ａ〜１２ｆは送受信器１５ａ〜１５ｆを備えていることから、親局１１及び各々の子局１２ａ〜１２ｆ間で情報を送受信することも可能である。図１５中で双方向に矢印を記載しているのはそれを意味する。従って、上述した逆回りで１個の子局をバイパスして最下流の子局１２ｆまで制御指令及び子局の情報を送信し、最下流の子局１２ｆで折り返して、親局１１方向にバイパスした子局１２を中継して最後の子局１２ｂまで制御指令及び子局の情報を出力することも可能である。
【００８３】
図１７に示した一例では、間欠的に子局を中継して最下流の子局で折り返してすべての子局に順次制御指令を送信し、制御指令の中継を行う際に子局の情報を送信するので、親局１１から直接的に電波が届かない場所に設置された子局に対しても制御指令を送信でき、またその子局の情報を親局１１に送信できる。従って、長いトンネルであっても、親局１１は、すべての子局１２ａ〜１２ｆに制御指令を適切に送信することができ、子局の情報を取得できる。
【００８４】
また、間欠的に子局を中継して順次制御指令を送信するので、最下流の子局に制御指令が到達するまでの時間を短縮できる。従って、トンネル内の子局１２である照明装置の設置位置による点灯消灯や調光制御が均一化されるので、トンネル内の照度が均質化される。
【００８５】
以上述べたように、実施例２によれば、親局から子局に無線により制御指令や子局の情報を送信するので、親局と子局との制御線が不要となる。従って、制御線の敷設工事が不要となりコストの低減が図れる。また、子局を中継して他の子局に制御指令を送信できるので、長いトンネルであっても、すべての子局に制御指令を適切に送信することができる。同様に、子局の情報は他の子局を中継して親局に送信できるので、長いトンネルであっても、親局はすべての子局の情報を得ることができる。
【実施例３】
【００８６】
図１８は本発明の実施例３のトンネル照明設備の構成図である。この実施例３は、図１３に示した実施例２の一例に対し、親局１１の送受信器１６に代えて送信器１３を設け、子局１２ａ〜１２ｄの送受信装置１５ａ〜１５ｄに代えて受信器１４ａ〜１４ｄとしたものである。図１８では４個の子局１２ａ〜１２ｄが設けられた場合を示しているが、４個以上または４個未満であっても良いことは言うまでもない。
【００８７】
親局１１には無線の送信器１３が備えられており、各々の子局１２ａ〜１２ｄには無線の受信器１４ａ〜１４ｄが備えられている。そして、親局１１の送信器１３から各々の子局１２ａ〜１２ｄの受信器１４ａ〜１４ｄに対して制御指令が無線で送信される。なお、図示は省略するが電源線は有線にて親局１１から各々の子局１２ａ〜１２ｄに敷設されている。
【００８８】
例えば、トンネル内に配置された子局１２ａ〜１２ｄである照明装置を点灯させる場合には、親局１１である照明制御装置の送信器１３は制御指令として点灯指令を無線で子局１２ａ〜１２ｄに送信する。各々の子局１２ａ〜１２ｄには識別番号が付与されており、親局１１は識別番号と共に制御指令である点灯指令を出力することになる。子局１２ａ〜１２ｄの受信器１４では親局１１から送信されてきた信号を受信する。そして、各々の子局１２ａ〜１２ｄでは受信信号に含まれる識別番号を判断し、自局の識別番号であるときにはその制御指令を取り込み、その内容を判断して照明装置を制御する。この場合には、点灯指令であるので照明装置を点灯する。制御指令が調光制御指令である場合には、その調光制御指令に従って照明装置の調光を制御することになる。
【００８９】
本発明の実施例３によれば、親局１１から子局１２ａ〜１２ｄに無線により制御指令を送信するので、子局１２ａ〜１２ｄに制御指令を伝送するための制御線が不要となる。従って、制御線の敷設工事が不要となりコストの低減が図れる。
【実施例４】
【００９０】
図１９〜図２２は本発明の実施例４のトンネル照明設備の構成図である。この実施例４は、実施例３に対し子局１２の受信器１４に代えて送受信器１５を設け、他の子局に制御指令を中継できるようにしたものである。図１９〜図２２では６個の子局１２ａ〜１２ｆを設けた場合を示しているが、６個以上あるいは６個未満であっても良いことは言うまでもない。
【００９１】
図１９は実施例４におけるトンネル照明設備の一例を示す構成図であり、親局１１から順次子局１２ａ〜１２ｅの送受信器１５ａ〜１５ｅを中継して最下流の子局１２ｆまで制御指令を送信するようにしたものである。図１９において、親局１１には無線の送信器１３が備えられており、各々の子局１２ａ〜１２ｆには無線の送受信器１５ａ〜１５ｆが備えられている。
【００９２】
まず、親局１１の送信器１３から最上流の子局１２ａの送受信器１５ａに対して、子局１２ａ〜１２ｆの識別番号を付与して制御指令を無線で送信する。子局１２ａでは親局１１から受信した受信信号に自局の識別番号が含まれているかどうかを判別し、自局の識別番号が付与された制御指令があるときは、その制御指令を取り込み、他局の識別番号が付与された制御指令は下流の子局１２ｂに送信する。
【００９３】
以下、同様に子局１２ｂ〜１２ｅは、自局の識別番号が付与された制御指令があるときはその制御指令を取り込み、他局の識別番号が付与された制御指令は下流の子局１２ｃ〜１２ｆに順次送信する。このように、親局１１からの制御指令は最上流の子局１２ａから順次下流の子局１２ｂ〜１２ｅの送受信器１５ｂ〜１５ｅを中継して最下流の子局１２ｆまで送信される。
【００９４】
以上の説明では、親局１１から子局１２ｆまで制御指令を順次送信する場合について説明したが、各々の子局１２ａ〜１２ｆは送受信器１５ａ〜１５ｆを備えていることから、各々の子局１２ａ〜１２ｆ間で情報を送受信することも可能である。図１９中で双方向に矢印を記載しているのはそれを意味する。
【００９５】
ここで、親局１１からの送信信号を順次中継する子局１２ａ〜１２ｅのいずれかが故障し、下流の子局に信号を送信できないときは、その故障した子局をバイパスして次の子局に送信信号を送出する。例えば子局１２ｃが子局１２ｂからの信号を受信しないときは、子局１２ｂは子局１２ｃをバイパスして子局１２ｄに信号を送信することになる。子局１２ｃが子局１２ｂからの信号を受信しないことの検出は、例えば、子局１２ｂが子局１２ｃに信号を送信してから所定時間以内に子局１２ｃから応答信号を受信しない場合に子局１２ｃの故障と判定する。
【００９６】
図１９に示した一例では、子局１２ａ〜１２ｅの送受信器１５ａ〜１５ｅを中継して他の子局１２ｂ〜１２ｆに順次制御指令を送信できるので、親局１１から直接的に電波が届かない場所に設置された子局１２に対しても制御指令を送信することができる。従って、長いトンネルであっても、すべての子局１２ａ〜１２ｆに制御指令を適切に送信することができる。
【００９７】
図２０は実施例４におけるトンネル照明設備の他の一例を示す構成図であり、親局１１から所定の子局群毎に制御指令を送信し、子局群内の子局を中継して子局群内の下流の子局に順次制御指令を送信するようにしたものである。図２０において、親局１１には無線の送信器１３が備えられており、各々の子局１２ａ〜１２ｆには無線の送受信器１５ａ〜１５ｆが備えられている。そして、まず、親局１１の送信器１３から第１の子局群の子局１２ａに対して子局１２ａ〜１２ｃの識別番号を付与して制御指令を無線で送信すると共に、第２の子局群の子局１２ｄに対して子局１２ｄ〜１２ｆの識別番号を付与して制御指令を無線で送信する。
【００９８】
第１の子局群の子局１２ａでは親局１１から受信した受信信号に自局の識別番号が含まれているかどうかを判別し、自局の識別番号が付与された制御指令があるときはその制御指令を取り込み、他局の識別番号が付与された制御指令は下流の子局１２ｂに送信する。子局１２ｂでは子局１２ａの送受信器１５ａを中継して親局１１から受信した受信信号に自局の識別番号が含まれているかどうかを判別し、自局の識別番号が付与された制御指令があるときはその制御指令を取り込み、他局の識別番号が付与された制御指令は下流の子局１２ｃに送信する。
【００９９】
同様に、第２の子局群の子局１２ｄでは親局１１から受信した受信信号に自局の識別番号が含まれているかどうかを判別し、自局の識別番号が付与された制御指令があるときはその制御指令を取り込み、他局の識別番号が付与された制御指令は下流の子局１２ｅに送信する。子局１２ｅでは子局１２ｄを中継して親局１１から受信した受信信号に自局の識別番号が含まれているかどうかを判別し、自局の識別番号が付与された制御指令があるときはその制御指令を取り込み、他局の識別番号が付与された制御指令は下流の子局１２ｆに送信する。
【０１００】
このように、親局１１からの制御指令を子局群毎に受信し、子局群内の子局１２で順次中継して子局群内の最下流の子局１２ｃ、１２ｆまで制御指令を送信する。この場合においても、各々の子局１２ａ〜１２ｆは送受信器１５ａ〜１５ｆを備えていることから、各々の子局１２ａ〜１２ｆ間で情報を送受信することも可能である。図２０中で双方向に矢印を記載しているのはそれを意味する。また、順次中継する子局１２のいずれかが故障し、下流の子局に信号を送信できないときは、図１９の一例の場合と同様に、その故障した子局をバイパスして次の子局に送信信号を送出することになる。
【０１０１】
図２０に示した一例では、親局１１から子局群毎に制御指令を送信し、子局群内の子局１２を中継して他の子局１２に順次制御指令を送信するので、最下流の子局１２に制御指令が到達するまでの時間を短縮できる。例えば、図１９の一例の場合には、最下流の子局１２ｆに制御指令が到達するには５個の子局１２ａ〜１２ｅを中継して到達することになるが、図２０に示した一例では、第１の子局群の最下流の子局１２ｃには２個の子局１２ａ、１２ｂを中継して到達し、第２の子局群の最下流の子局１２ｆにも２個の子局１２ｄ、１２ｅを中継して到達することになるので、最下流の子局１２に制御指令が到達するまでの時間を短縮できる。従って、子局１２である照明装置の設置位置によるトンネル内の照明の点灯消灯や調光制御の遅れを抑制できる。
【０１０２】
図２１は実施例４におけるトンネル照明設備の別の他の一例を示す構成図であり、親局１１から最上流の子局群に制御指令を送信し、その最上流の子局群のいずれかの子局から下流の子局群に順次制御指令を中継して順次送信し、子局群内では子局群内の子局を中継して下流の子局に順次制御指令を送信するようにしたものである。なお、子局群内の子局の数は、親局１１または前段の子局群の中継子局から電波の届く範囲内の数とする。
【０１０３】
図２１において、親局１１には無線の送信器１３が備えられており、各々の子局１２ａ〜１２ｆには無線の送受信器１５ａ〜１５ｆが備えられている。そして、まず、親局１１の送信器１３から第１の子局群の子局１２ａに対して子局１２ａ〜１２ｆの識別番号を付与して制御指令を無線で送信する。
【０１０４】
第１の子局群の子局１２ａでは親局１１から受信した受信信号に自局の識別番号が含まれているかどうかを判別し、自局の識別番号が付与された制御指令があるときはその制御指令を取り込み、他局の識別番号が付与された制御指令のうち自局の子局群の制御指令は自局の子局群の下流の子局１２ｂに送信し、自局の子局群以外の制御指令は第２の子局群の子局１２ｄに送信する。
【０１０５】
第２の子局群の子局１２ｄでは、同様に、第１の子局群の子局１２ａを中継して親局１１から受信した受信信号に自局の識別番号が含まれているかどうかを判別し、自局の識別番号が付与された制御指令があるときはその制御指令を取り込み、他局の識別番号が付与された制御指令のうち自局の子局群の制御指令は自局の子局群の下流の子局１２ｅに送信する。そして、自局の子局群以外の制御指令があるときは、第３の子局群があると判断してさらに下流の第３の子局群に送信する。
【０１０６】
このように、親局１１からの制御指令を第１の子局群のいずれかの子局で受信し、順次下流の子局群に送信し、子局群内では子局群内の子局で順次中継して子局群内の最下流の子局まで制御指令を送信する。この場合においても、各々の子局１２ａ〜１２ｆは送受信器１５ａ〜１５ｆを備えていることから、各々の子局１２ａ〜１２ｆ間で情報を送受信することも可能である。図２１中で双方向に矢印を記載しているのはそれを意味する。また、順次中継する子局のいずれかが故障し、下流の子局に信号を送信できないときは、図１９の一例の場合と同様に、その故障した子局をバイパスして次の子局に送信信号を送出することになる。
【０１０７】
図２１に示した一例では、子局群のいずれかの子局を中継して他の子局群のいずれかの子局に順次制御指令を送信できるので、親局１１から直接的に電波が届かない場所に設置された子局群の子局に対しても制御指令を送信することができる。従って、長いトンネルであっても、すべての子局１２ａ〜１２ｆに制御指令を適切に送信することができる。また、子局群内の子局１２を中継して他の子局１２に順次制御指令を送信するので、最下流の子局１２に制御指令が到達するまでの時間を短縮できる。従って、子局１２が照明装置である場合には、子局１２の設置位置によるトンネル内の照明の点灯消灯や調光制御の遅れを抑制できる。
【０１０８】
図２２は実施例４におけるトンネル照明設備のさらに別の他の一例を示す構成図であり、親局１１から１個おきに子局１２を中継しながら最下流の子局まで制御指令を送信し、最下流の子局で折り返して中継を飛ばした子局１２に対して親局１１方向に制御指令を送信し、最終的にすべての子局に制御指令を送信するようにしたものである。
【０１０９】
図２２において、親局１１には無線の送信器１３が備えられており、各々の子局１２ａ〜１２ｆには無線の送受信器１５ａ〜１５ｆが備えられている。そして、まず、親局１１の送信器１３から最上流の子局１２ａの送受信器１５ａに対して子局１２ａ〜１２ｆの識別番号を付与して制御指令を無線で送信する。子局１２ａでは親局１１から受信した受信信号に自局の識別番号が含まれているかどうかを判別し、自局の識別番号が付与された制御指令があるときはその制御指令を取り込み、他局の識別番号が付与された制御指令は下流の子局１２ｂをバイパスして子局１２ｃに送信する。
【０１１０】
以下同様に、１個の子局をバイパスして最下流の子局１２ｆまで制御指令を送信し、最下流の子局１２ｆで折り返して、親局１１方向にバイパスした子局１２を中継して最後の子局１２ｂまで制御指令を出力する。この場合においても、各々の子局１２ａ〜１２ｆは送受信器１５ａ〜１５ｆを備えていることから、各々の子局１２ａ〜１２ｆ間で情報を送受信することも可能である。図２２中で双方向に矢印を記載しているのはそれを意味する。また、順次中継する子局１２のいずれかが故障し、下流の子局に信号を送信できないときは、図１９の一例の場合と同様に、その故障した子局をバイパスして次の子局に送信信号を送出することになる。
【０１１１】
図２２に示した一例では、間欠的に子局を中継して最下流の子局で折り返してすべての子局に順次制御指令を送信するので、親局１１から直接的に電波が届かない場所に設置された子局に対しても制御指令を送信することができる。従って、長いトンネルであっても、すべての子局１２ａ〜１２ｆに制御指令を適切に送信することができる。
【０１１２】
また、間欠的に子局を中継して順次制御指令を送信するので、最下流の子局に制御指令が到達するまでの時間を短縮できる。従って、トンネル内の子局１２である照明装置の設置位置による点灯消灯や調光制御が均一化されるので、トンネル内の照度が均質化される。
【０１１３】
実施例４によれば、親局から子局に無線により制御指令を送信するので、子局に制御指令を伝送するための制御線が不要となりコストの低減が図れる。また、子局を中継して他の子局に制御指令を送信できるので、長いトンネルであっても、すべての子局に制御指令を適切に送信することができる。また、制御指令の伝達を均質化できる。
【図面の簡単な説明】
【０１１４】
【図１】本発明の実施の形態に係わるトンネル照明設備の構成図。
【図２】本発明の実施の形態における子局である照明装置の正面図。
【図３】本発明の実施の形態における子局である照明装置の断面図。
【図４】本発明の実施の形態における子局である照明装置に内蔵された送受信器のアンテナの指向性の説明図。
【図５】本発明の実施の形態における子局である照明装置に内蔵された送受信器のトンネル内での長手方向の指向性の一例の説明図。
【図６】本発明の実施の形態における子局である照明装置に内蔵された送受信器のトンネル内での斜め上下方向の指向性の一例の説明図。
【図７】本発明の実施の形態に係わるトンネル照明設備の親局及び子局のブロック構成図。
【図８】本発明の実施例１におけるトンネル照明設備の一例を示す構成図。
【図９】本発明の実施例１におけるトンネル照明設備の他の一例を示す構成図。
【図１０】本発明の実施例１におけるトンネル照明設備の別の他の一例を示す構成図。
【図１１】本発明の実施例１におけるトンネル照明設備のさらに別の他の一例を示す構成図。
【図１２】本発明の実施例１におけるトンネル照明設備のさらに別の他の一例を示す構成図。
【図１３】本発明の実施例２におけるトンネル照明設備の一例を示す構成図。
【図１４】本発明の実施例２におけるトンネル照明設備の他の一例を示す構成図。
【図１５】本発明の実施例２におけるトンネル照明設備の別の他の一例を示す構成図。
【図１６】本発明の実施例２におけるトンネル照明設備のさらに別の他の一例を示す構成図。
【図１７】本発明の実施例２におけるトンネル照明設備のさらに別の他の一例を示す構成図。
【図１８】本発明の実施例３におけるトンネル照明設備の一例を示す構成図。
【図１９】本発明の実施例４におけるトンネル照明設備の一例を示す構成図。
【図２０】本発明の実施例４におけるトンネル照明設備の他の一例を示す構成図。
【図２１】本発明の実施例４におけるトンネル照明設備の別の他の一例を示す構成図。
【図２２】本発明の実施例４におけるトンネル照明設備のさらに別の他の一例を示す構成図。
【符号の説明】
【０１１５】
１…トンネル、２…電源線、３…器具本体、３ａ…取付脚、３ｂ…シャーシ、３ｃ…パッキン、３ｄ…蓋体、３ｅ…透光性カバー、３ｆ…ネジ穴、３ｇ…ヒンジ、４…主反射体、５…蛍光ランプ、５ａ…片口金、６…無線部、６ａ…送受信部、６ｂ…制御／インタフェース部、６ｃ…電源部、７…制御表示部、８…外部接続機器、９…上位装置、１０…無線部、１０ａ…送受信部、１０ｂ…制御／インタフェース部、１０ｃ…電源部、１１…親局、１２…子局、１３…送信器、１４…受信器、１５…送受信器、１６…送受信器、１７ａ…インバータ部、１７ｂ…電源部、１７ｃ…検出部、１８…設定器、１９…アンテナ、２０…路面
【図１】
2005116506.tif 000003
【図２】
2005116506.tif 000004
【図３】
2005116506.tif 000005
【図４】
2005116506.tif 000006
【図５】
2005116506.tif 000007
【図６】
2005116506.tif 000008
【図７】
2005116506.tif 000009
【図８】
2005116506.tif 000010
【図９】
2005116506.tif 000011
【図１０】
2005116506.tif 000012
【図１１】
2005116506.tif 000013
【図１２】
2005116506.tif 000014
【図１３】
2005116506.tif 000015
【図１４】
2005116506.tif 000016
【図１５】
2005116506.tif 000017
【図１６】
2005116506.tif 000018
【図１７】
2005116506.tif 000019
【図１８】
2005116506.tif 000020
【図１９】
2005116506.tif 000021
【図２０】
2005116506.tif 000022
【図２１】
2005116506.tif 000023
【図２２】
2005116506.tif 000024